(57)【要約】      （修正有）【課題】フレキシブルプリント配線板を容易に取り上げることができるフレキシブルプリント配線板加工治具を提供する。【解決手段】加工治具は、フレキシブルプリント配線板を加工するために位置決め保持する治具であり、ベース部材１と、ベース部材上に立設される脚部材２と、脚部材に支持され、上面にフレキシブルプリント配線板Ｐが載置される保持板３と、保持板の下方に配置される板状部９、及び板状部の上面に直立して設けられ、保持板を貫通してフレキシブルプリント配線板の位置決め孔Ｈに嵌合する複数の位置決めピン１０を有するピンボード４と、ピンボードを保持板の上面に垂直に昇降させるよう案内する直動ガイド５と、ピンボードを保持板に向かって付勢する弾性部材６と、弾性部材の付勢力に抗して位置決めピンが保持板の上面より下方に後退した状態でピンボードを保持する保持機構７とを備える。【選択図】図１
0003217204.tif 000002
【実用新案登録請求の範囲】
【請求項１】
フレキシブルプリント配線板を加工するために位置決め保持する治具であって、
ベース部材と、
上記ベース部材上に立設される脚部材と、
上記脚部材に支持され、上面に上記フレキシブルプリント配線板が載置される保持板と、
上記保持板の下方に配置される板状部、及びこの板状部の上面に直立して設けられ、上記保持板を貫通して上記フレキシブルプリント配線板の位置決め孔に嵌合する複数の位置決めピンを有するピンボードと、
上記ピンボードを上記保持板の上面に垂直に昇降させるよう案内する直動ガイドと、
上記ピンボードを上記保持板に向かって付勢する弾性部材と、
上記弾性部材の付勢力に抗して上記位置決めピンが上記保持板の上面より下方に後退した状態で上記ピンボードを保持する保持機構と
を備えるフレキシブルプリント配線板加工治具。
【請求項２】
上記保持機構が、上記ピンボードの下面に配設される被係止部と、上記ベース部材に固定され、上記被係止部を係止する係止部とを有する請求項１に記載のフレキシブルプリント配線板加工治具。
【請求項３】
上記被係止部が突起、凹部又は開口を有し、上記係止部が上記突起、凹部又は開口に係合する可動爪を有する請求項２に記載のフレキシブルプリント配線板加工治具。
【請求項４】
上記係止部が上記可動爪を上記突起、凹部又は開口から脱離するよう移動させる解除レバーを有する請求項３に記載のフレキシブルプリント配線板加工治具。
【請求項５】
上記被係止部及び上記係止部が磁力により吸引し合う請求項２に記載のフレキシブルプリント配線板加工治具。
【請求項６】
上記被係止部と上記係止部とが当接しないよう上記ピンボードの可動域を制限する制限構造を有する請求項５に記載のフレキシブルプリント配線板加工治具。
【考案の詳細な説明】
【技術分野】
【０００１】
本考案は、フレキシブルプリント配線板加工治具に関する。
【背景技術】
【０００２】
フレキシブルプリント配線板は、絶縁性を有するベースフィルムとベースフィルムの少なくとも一方の面側に積層される導電パターンとを備え、可撓性を有する。このようなフレキシブルプリント配線板は、例えば電子部品、補強板等の部品が取り付けられたり、例えば外縁が所望の形状に切断されたりといった加工が施される。
【０００３】
このようなフレキシブルプリント配線板に予め形成される位置決め孔に位置決めピンを挿入することによって、フレキシブルプリント配線板を正確に位置決めして保持する加工治具が使用されることがある。フレキシブルプリント配線板は多品種少量生産されることも多いため、上記のような加工治具へのフレキシブルプリント配線板の配置及び加工治具からのフレキシブルプリント配線板の取り外しは、人手によって行われることが少なくない。
【０００４】
加工終了後にフレキシブルプリント配線板を加工治具から取り外す場合、位置決め孔を位置決めピンに沿って真っ直ぐに移動させるよう、フレキシブルプリント配線板を垂直に持ち上げる必要がある。もしもフレキシブルプリント配線板を正確に持ち上げることができなければ、位置決め孔が位置決めピンに引っ掛かり、フレキシブルプリント配線板を損傷するおそれがある。
【０００５】
例えば特開２００１−７４８２号公報には、プリント配線板の孔にそれぞれ挿入される複数のガイドピンが立設された加工治具板の上に、ガイドピンが挿入される孔を有する受け台を配置して、この受け台の上にプリント配線板を載置する加工治具が提案されている。この公報に記載の加工治具は、加工治具板に設けた挿通孔に下方から押し出しピンを挿入して、受け台を支持する押し出し板を備えている。この加工治具では、この押し出し板を上昇させて受け台を加工治具板から押し上げるか、押し出しピン上に受け台を残すよう加工治具板だけを押し下げることによって、プリント配線板をガイドピンから脱離させてプリント配線板を容易に取り出すことができる。
【先行技術文献】
【特許文献】
【０００６】
【特許文献１】特開２００１−７４８２号公報
【考案の概要】
【考案が解決しようとする課題】
【０００７】
上記公報に開示される加工治具では、押し出し板で受け台を押し上げた状態で、フレキシブルプリント配線板を受け台の上から取り上げる必要があるが、多品種少量生産の場合、このような作業を機械化することは難しい。このため、上記公報に開示される加工治具では、一方の手で受け台を押し上げつつ、他方の手で受け台からプリント配線板の取り上げる必要がある。
【０００８】
本考案は、上述のような事情に基づいてなされたものであり、フレキシブルプリント配線板を容易に取り上げることができるフレキシブルプリント配線板加工治具を提供することを課題とする。
【課題を解決するための手段】
【０００９】
上記課題を解決するためになされた本考案の一態様に係る加工治具は、フレキシブルプリント配線板を加工するために位置決め保持する治具であって、ベース部材と、上記ベース部材上に立設される脚部材と、上記脚部材に支持され、上面に上記フレキシブルプリント配線板が載置される保持板と、上記保持板の下方に配置される板状部、及びこの板状部の上面に直立して設けられ、上記保持板を貫通して上記フレキシブルプリント配線板の位置決め孔に嵌合する複数の位置決めピンを有するピンボードと、上記ピンボードを上記保持板の上面に垂直に昇降させるよう案内する直動ガイドと、上記ピンボードを上記保持板に向かって付勢する弾性部材と、上記弾性部材の付勢力に抗して上記位置決めピンが上記保持板の上面より下方に後退した状態で上記ピンボードを保持する保持機構とを備える。
【考案の効果】
【００１０】
本考案の一態様に係るフレキシブルプリント配線板加工治具は、フレキシブルプリント配線板を容易に取り上げることができる。
【図面の簡単な説明】
【００１１】
【図１】図１は、本考案の一実施形態のフレキシブルプリント配線板加工治具のフレキシブルプリント配線板を位置決め保持している状態を示す模式的側面図である。
【図２】図２は、図１のフレキシブルプリント配線板加工治具のフレキシブルプリント配線板を取り上げるときの状態を示す模式的側面図である。
【図３】図３は、本考案の図１とは異なる実施形態のフレキシブルプリント配線板加工治具を示す模式的断面図である。
【図４】図４は、本考案の図１及び図３とは異なる実施形態のフレキシブルプリント配線板加工治具を示す模式的断面図である。
【考案を実施するための形態】
【００１２】
［本考案の実施形態の説明］
本考案の一態様に係るフレキシブルプリント配線板加工治具は、フレキシブルプリント配線板を加工するために位置決め保持する治具であって、ベース部材と、上記ベース部材上に立設される脚部材と、上記脚部材に支持され、上面に上記フレキシブルプリント配線板が載置される保持板と、上記保持板の下方に配置される板状部、及びこの板状部の上面に直立して設けられ、上記保持板を貫通して上記フレキシブルプリント配線板の位置決め孔に嵌合する複数の位置決めピンを有するピンボードと、上記ピンボードを上記保持板の上面に垂直に昇降させるよう案内する直動ガイドと、上記ピンボードを上記保持板に向かって付勢する弾性部材と、上記弾性部材の付勢力に抗して上記位置決めピンが上記保持板の上面より下方に後退した状態で上記ピンボードを保持する保持機構とを備える。
【００１３】
当該フレキシブルプリント配線板加工治具は、上記ピンボードを上記保持板に向かって付勢する上記弾性部材の付勢力に抗して上記位置決めピンが上記保持板の上面より下方に後退した状態で上記ピンボードを保持する保持機構を備えることによって、上記位置決めピンが上記フレキシブルプリント配線板から引き抜かれた状態で上記ピンボードを保持することができる。このため、オペレーターは、上記ピンボードから手を離して両手で作業を行うことができるので、上記保持板上のフレキシブルプリント配線板を容易に取り上げることができる。
【００１４】
当該フレキシブルプリント配線板加工治具において、上記保持機構が、上記ピンボードの下面に配設される被係止部と、上記ベース部材に固定され、上記被係止部を係止する係止部とを有してもよい。このように、上記保持機構が、上記ピンボードの下面に配設される被係止部と、上記ベース部材に固定され、上記被係止部を係止する係止部とを有することによって、比較的簡単な構成で上記ピンボードを保持することができる。
【００１５】
当該フレキシブルプリント配線板加工治具において、上記被係止部が突起、凹部又は開口を有し、上記係止部が上記突起、凹部又は開口に係合する可動爪を有してもよい。このように、上記被係止部が突起、凹部又は開口を有し、上記係止部が上記突起、凹部又は開口に係合する可動爪を有することによって、上記ピンボードを確実に保持することができる。
【００１６】
当該フレキシブルプリント配線板加工治具において、上記係止部が上記可動爪を上記突起、凹部又は開口から脱離するよう移動させる解除レバーを有してもよい。このように、上記係止部が上記可動爪を上記突起、凹部又は開口から脱離するよう移動させる解除レバーを有することによって、上記保持板上のフレキシブルプリント配線板を取り除いた後、次のフレキシブルプリント配線板の加工を行う作業にスムーズに移行できる。
【００１７】
当該フレキシブルプリント配線板加工治具において、上記被係止部及び上記係止部が磁力により吸引し合ってもよい。このように、上記被係止部及び上記係止部が磁力により吸引し合うことによって、上記保持機構により上記ピンボードを保持する操作に要する力が小さくなるので、上記ピンボードをより確実に保持することができる。
【００１８】
当該フレキシブルプリント配線板加工治具は、上記被係止部と上記係止部とが当接しないよう上記ピンボードの可動域を制限する制限構造を有してもよい。このように、上記被係止部と上記係止部とが当接しないよう上記ピンボードの可動域を制限する制限構造を有することによって、上記弾性部材の弾性力と上記磁力とのバランスを最適化して、上記ピンボードを上記保持機構から容易に解放可能とすることができる。
【００１９】
［本考案の実施形態の詳細］
以下、本考案に係るフレキシブルプリント配線板加工治具の各実施形態について図面を参照しつつ詳説する。
【００２０】
［第一実施形態］
図１及び図２に、本考案の一実施形態に係るフレキシブルプリント配線板加工治具を示す。当該フレキシブルプリント配線板加工治具は、図１に示すように、複数の位置決め孔Ｈを有するフレキシブルプリント配線板Ｆを加工する際に、フレキシブルプリント配線板Ｆを位置決め保持する治具である。
【００２１】
当該フレキシブルプリント配線板加工治具は、ベース部材１と、ベース部材１上に立設される複数の脚部材２と、複数の脚部材２に支持され、上面にフレキシブルプリント配線板Ｐが載置される保持板３と、保持板３の下方に配置されるピンボード４と、ピンボード４を保持板３の上面に垂直に昇降させるよう案内する直動ガイド５と、ピンボード４を保持板３に向かって付勢する弾性部材６と、弾性部材６の付勢力に抗してピンボード３を保持する保持機構７とを備える。
【００２２】
保持板３は、フレキシブルプリント配線板Ｐの位置決め孔Ｈに対応する位置に上下方向に貫通するピン孔８が形成される。
【００２３】
ピンボード４は、保持板３の下方に保持板３と平行に配置される板状部９と、この板状部９の上面に直立して設けられ、保持板３のピン孔８を貫通してフレキシブルプリント配線板Ｐの位置決め孔Ｈに嵌合するよう保持板３の上方に突出可能な複数の位置決めピン１０とを有する。
【００２４】
＜ベース部材＞
ベース部材１は、当該フレキシブルプリント配線板加工治具の他の構成要素を配設する土台であり、全体形状又は頂部の形状が板状であることが好ましい。ベース部材１は、作業台の上に載置されてもよく、脚を有して自立してもよい。
【００２５】
ベース部材１の材質としては、例えば鉄、アルミニウム、ステンレス鋼等の金属、例えばナイロン（ポリアミド）、ベークライト（フェノール樹脂）等のプラスチック、例えばガラスエポキシ樹脂、紙フェノール樹脂等の複合材量などを挙げることができる。
【００２６】
＜脚部材＞
脚部材２は、保持板３を水平に支持し、ベース部材１と保持板３との間にピンボード４、直動ガイド５、弾性部材６及び保持機構７を配設するスペースを確保する。この脚部材２の構成としては、特に限低されないが、ベース部材１の上面に直立して配設される柱状の部材とすることができる。
【００２７】
柱状の脚部材２を用いる場合、その数は３本以上とされ、寸法誤差により保持板３に歪みを生じさせにくい３本、又は通常想定される平面視方形状の保持板３をバランスよく保持することができる４本が好ましい。
【００２８】
脚部材２の材質としては、上記ベース部材１の材質と同様とすることができる。
【００２９】
脚部材２の平均高さ（ベース部材１と保持板３との間隔）の下限としては、５０ｍｍが好ましく、８０ｍｍがより好ましい。一方、脚部材２の平均高さの上限としては、２００ｍｍが好ましく、１５０ｍｍがより好ましい。脚部材２の平均高さが上記下限に満たない場合、ベース部材１と保持板３との間に十分な機能を有するピンボード４、直動ガイド５、弾性部材６及び保持機構７を配設することが難しくなるおそれがある。逆に、脚部材２の平均高さが上記上限を超える場合、当該フレキシブルプリント配線板加工治具の高さが不必要に大きくなるおそれがある。
【００３０】
＜保持板＞
保持板３は、脚部材２の上端に固定され、その上面の少なくともフレキシブルプリント配線板Ｐが載置される部分が平面状に形成される。
【００３１】
また、保持板３は、フレキシブルプリント配線板Ｐに取り付ける部品、フレキシブルプリント配線板Ｐを加工する工具、又はそれらの治具等の位置決めに使用される構造を有してもよい。このような構造としては、例えばガイド孔、ガイドピン等の位置決め構造、例えばヒンジ、直動ガイド等の構成要素間を可動に接続する接続構造などを挙げることができる。
【００３２】
保持板３は、上面にフレキシブルプリント配線板Ｐをはみ出さないように載置することができる大きさを有すればよく、通常は平面視方形の板状とされる。
【００３３】
保持板３の厚さは、例えばその平面寸法、材質、他の構成要素との接続構造等を考慮して、フレキシブルプリント配線板Ｐの平面度を保持できる強度を確保できるよう選択される。例として、ベークライト製で、幅約４０ｃｍ、奥行き約３０ｃｍの保持板３の平均厚さの下限としては、４ｍｍが好ましく、５ｍｍがより好ましい。一方、上記保持板３の平均厚さの上限としては、１０ｍｍが好ましく、８ｍｍがより好ましい。上記保持板３の平均厚さが上記下限に満たない場合、強度が不十分となるおそれがある。逆に、上記保持板３の平均厚さが上記上限を超える場合、位置決めピン１０の長さを大きくする必要が生じて位置決めピン１０の径も大きくする必要が生じるため、精細な導電パターンを有するフレキシブルプリント配線板の加工に適用しにくくなるおそれがある。
【００３４】
保持板３の材質としては、上記ベース部材１の材質と同様とすることができる。
【００３５】
＜ピンボード＞
ピンボード４は、複数の位置決めピン１０を板状部９によって保持することで、複数の位置決めピン１０を一体に昇降できるよう構成されたものである。
【００３６】
このピンボード４は、位置決めピン１０にフレキシブルプリント配線板Ｐの位置決め孔Ｈを嵌合可能な状態とするために、後述する弾性部材６によって押し上げられることで複数の位置決めピン１０の先端を保持板３の上面から突出させる。
【００３７】
また、このピンボード４は、オペレーターに押し下げられることによって、図２に示すように、位置決めピン１０の先端が保持板３の上面より下方に後退させる。ピンボード４は、位置決めピン１０の再度の突出を容易にするために、最下降時にも位置決めピン１０の先端が保持板３のピン孔８の内部に留まるよう配設されることが好ましい。
【００３８】
（板状部）
板状部９は、複数の位置決めピン１０を平行に保持する。この板状部９としては、表面に垂直な複数の取付孔が形成され、この複数の取付孔にそれぞれ位置決めピン１０が挿入固定される構成とすることができる。
【００３９】
また、板状部９は、位置決めピン１０を保持板３の上面よりも下方に後退させるために、オペレーターが手で押し下げることができるよう、平面視で保持板３から突出する部分を有することが好ましく、保持板３の左右両側に突出することがより好ましい。また、板状部９は、脚部材２との干渉を避けるための開口又は切欠や、直動ガイド５を配設するための開口又は切欠が形成されてもよい。
【００４０】
この板状部９の保持板３からの突出量の下限としては、２０ｍｍが好ましく、３０ｍｍがより好ましい。一方、板状部９の保持板３からの突出量の上限としては、６０ｍｍが好ましく、５０ｍｍがより好ましい。板状部９の保持板３からの突出量が上記下限に満たない場合、板状部９を手で押し下げることが容易でなくなるおそれがある。逆に、板状部９の保持板３からの突出量が上記上限を超える場合、当該フレキシブルプリント配線板加工治具が不必要に大きくなるおそれがある。
【００４１】
板状部９の材質としては、十分な強度を確保できればよいが、例えば鉄、アルミニウム、ステンレス鋼等の金属、例えばナイロン（ポリアミド）、ベークライト（フェノール樹脂）等のプラスチック、例えばガラスエポキシ樹脂、紙フェノール樹脂等の複合材量などを挙げることができ、中でも強度及び加工性に優れ、軽量であることから、アルミニウム及びナイロンが特に好適に用いられる。
【００４２】
板状部９の平均厚さは、その材質及び位置決めピン１０の固定方法にもよるが、複数の位置決めピン１０を平行に保持できるよう選択される。具体例として、アルミニウム製の板状部９に形成された取付孔に位置決めピン１０を圧入して直立状態に保持する場合、板状部９の平均厚さの下限としては、６ｍｍが好ましく、８ｍｍがより好ましい。一方、板状部９の平均厚さの上限としては、１５ｍｍが好ましく、１２ｍｍがより好ましい。板状部９の平均厚さが上記下限に満たない場合、複数の位置決めピン１０を堅固に保持できないおそれや、板状部９の強度が不十分となるおそれがある。逆に、板状部９の平均厚さが上記上限を超える場合、ピンボード４が不必要に重くなることで操作性が低下するおそれがある。
【００４３】
（位置決めピン）
位置決めピン１０は、線端を保持板３の上面から上方に突出させてフレキシブルプリント配線板Ｐの位置決め孔Ｈを嵌合させることができるよう、保持板３のピン孔８を貫通可能な長さを有する。
【００４４】
位置決めピン１０は、フレキシブルプリント配線板Ｐの位置決め孔Ｈに挿入しやすいよう先端が面取りされていることが好ましい。
【００４５】
位置決めピン１０は、例えばステンレス鋼線、ピアノ線、硬鋼線等から形成することができる。
【００４６】
＜直動ガイド＞
直動ガイド５は、例えばピンボード４に垂直なレールとこのレールに摺動可能に取り付けられたスライダーとを有するリニアガイド、ピンボード４に垂直な円柱状のシャフトとこのシャフトに摺動可能に嵌装されたボールブッシュとを組み合わせた機構等を用いることができる。
【００４７】
この直動ガイド５のレール又はシャフトは、ベース部材１に固定してもよいが、保持板３の下面に固定することが好ましい。直動ガイド５を保持板３に配設することによって、ピンボード４を保持板３の上面に対して正確な垂直方向に移動させられる。
【００４８】
直動ガイド５は、ピンボード４が傾斜せずに昇降するよう、複数配設されることが好ましく、通常想定される平面視方形状のピンボード４をバランスよく案内できるよう４つ配設されることがより好ましい。
【００４９】
＜弾性部材＞
弾性部材６は、弾性力によってピンボード４を保持板３に向かって押圧するよう、弾性エネルギーを蓄積した状態で配設される。
【００５０】
この弾性部材６としては、限定されないが、押圧力の変化を小さくすることができると共に、配設が容易であることから、つる巻きばねが特に好適に用いられる。
【００５１】
つる巻きばねからなる弾性部材６は、専用の配設構造を設けてベース板１とピンボード４との間に配設してもよいが、図示するように直動ガイド５のシャフトの外側に嵌装するよう配設することで構造が簡単になる。
【００５２】
＜保持機構＞
保持機構７は、ピンボード４の下面に配設される被係止部１１と、ベース部材１に固定され、ピンボード４を押し下げた状態で被係止部１１を係止することができる係止部１２とを有する。保持機構７をこのような構成とすることによって、例えば直動ガイド５に保持機構７を組み込む構成等と比べて比較的簡単な構成でピンボード４を保持することができる。
【００５３】
（被係止部）
被係止部１１は、図示するように、係止部１２が係合しやすいよう凹部１３を有する構成とすることができる。凹部１３は、ピンボード４の板状部に対向し、係止部１２に当接することで移動が制限される被係止面１４を画定する。
【００５４】
（係止部）
係止部１２は、凹部１３に係合する可動爪１５を有する。また、係止部１２は、この可動爪１５を凹部１３から脱離するよう移動させる解除レバー１６をさらに有する構成とすることができる。
【００５５】
このように、係止部１２の可動爪１５を被係止部１１の凹部１３に係合させる構成とすることによって、比較的簡単な構成でありながら、ピンボード４を確実に保持することができる。
【００５６】
また、係止部１２が解除レバー１６を有することによって、容易に被係止部１１を解放して、弾性部材６の弾性力によってピンボード４を上昇させることで、保持板３から位置決めピン１０を突出させることができる。したがって、当該フレキシブルプリント配線板加工治具は、加工したフレキシブルプリント配線板Ｐを保持板３上から取り上げた後、次に加工するフレキシブルプリント配線板Ｐを位置決めピン１０により位置決めして保持板３上に配置する作業をスムーズに行うことができるので、作業効率がよい。
【００５７】
可動爪１５は、凹部１３内に突出するよう、例えばねじりばね１７等によって付勢される。また、可動爪１５は、凹部１３の被係止面１４に当接して係止部１２を係止する係止面１８と、解除レバー１６を操作しなくてもピンボード４を押し下げることで被係止部１１の外面に当接して側方に後退し、被係止部１１の下降を可能にするための傾斜面１９と有する構成とすることができる。
【００５８】
解除レバー１６は、オペレーターが操作しやすいよう、平面視で保持板３の外側に突出することが好ましい。この解除レバー１６は、本実施形態のように可動爪１５と一体に形成することができるが、例えばリンク、カム、歯車等の伝達機構を介して可動爪１５を移動させてもよい。
【００５９】
＜利点＞
上述のように、当該フレキシブルプリント配線板加工治具は、ピンボード４を保持板３に向かって付勢する弾性部材６の付勢力に抗して位置決めピン１０が保持板３の上面より下方に後退した状態でピンボード４を保持する保持機構７を備える。これによって、当該フレキシブルプリント配線板加工治具は、位置決めピン１０がフレキシブルプリント配線板Ｐから引き抜かれた状態でピンボード４を保持することができる。このため、オペレーターは、ピンボード４から手を離して両手でフレキシブルプリント配線板Ｐを保持板３上から容易に取り上げることができる。
【００６０】
［第三実施形態］
図４に、本考案の図１及び図３とは異なる実施形態に係るフレキシブルプリント配線板加工治具を示す。図３のフレキシブルプリント配線板加工治具は、図１のフレキシブルプリント配線板加工治具と同様に、フレキシブルプリント配線板Ｆを加工するために位置決め保持する治具である。
【００６１】
当該フレキシブルプリント配線板加工治具は、ベース部材１と、ベース部材１上に立設される複数の脚部材２と、複数の脚部材２に支持され、上面にフレキシブルプリント配線板Ｐが載置される保持板３と、保持板３の下方に配置されるピンボード４と、ピンボード４を保持板３の上面に垂直に昇降させるよう案内する直動ガイド５と、ピンボード４を保持板３に向かって付勢する弾性部材６と、弾性部材６の付勢力に抗して位置決めピン１０が保持板３の表面より下方に後退した状態でピンボード４を保持する保持機構７ａとを備える。
【００６２】
図３のフレキシブルプリント配線板加工治具において、ベース部材１、脚部材２、ピンボード４、直動ガイド５及び弾性部材６の構成は、図１のフレキシブルプリント配線板加工治具におけるベース部材１、脚部材２、ピンボード４、直動ガイド５及び弾性部材６の構成と同様とすることができる。このため、図３のフレキシブルプリント配線板加工治具について、図１のフレキシブルプリント配線板加工治具と同じ構成要素には同じ符号を付して重複する説明を省略する。
【００６３】
＜保持機構＞
保持機構７ａは、ピンボード４の下面に配設される被係止部１１ａと、ベース部材１に固定され、ピンボード４を押し下げた状態で被係止部１１ａを係止することができる係止部１２ａとを有する。
【００６４】
保持機構７ａは、被係止部１１ａと係止部１２ａとが磁力により吸引し合うよう構成される。具体的には、被係止部１１ａ及び係止部１２ａの一方が磁石を有し、他方が磁石又は強磁性体を有する。このように、被係止部１１ａと係止部１２ａとが磁力により吸引し合うよう構成されることで、保持機構７ａにピンボード４を保持させる際に反力を生じないため、ピンボード４を押し下げるために必要な力を小さくできることができるので、ピンボード４をより確実に保持させられる。
【００６５】
保持機構７ａの被係止部１１ａ及び係止部１２ａは、ピンボード４又はベース部材１に固定され、磁石又は強磁性体を保持する台座２０を有してもよい。このように、磁石又は強磁性体を台座２０に保持することにより、被係止部１１ａ及び係止部１２ａ間の距離を小さくすることができ、比較的磁力が小さい磁石を使用することが可能となる。
【００６６】
保持機構７ａは、被係止部１１ａ及び係止部１２ａの少なくとも一方の磁石又は強磁性体の上下位置を調整可能に構成されてもよい。磁石又は強磁性体の上下位置を調整することにより、ピンボード４を吸引する磁力の強さを調節することができる。磁石又は強磁性体の上下位置を調整する構成としては、例えば調整ねじを設ける構成、シム又はスペーサーを介して磁石又は強磁性体を配設する構成等を採用することができる。
【００６７】
（制限構造）
当該フレキシブルプリント配線板加工治具は、被係止部１１ａと係止部１２ａとが当接しないようピンボード４の可動域を制限する制限構造２１を有する。被係止部１１ａと係止部１２ａとが当接しないことによって、両者の距離の２乗に反比例する被係止部１１ａと係止部１２ａとの吸引力のピンボード４の位置に対する変化率が保持機構７ａがピンボード４を保持する地点において比較的小さくすることができる。これにより、弾性部材６の弾性力と被係止部１１ａと係止部１２ａとの間の磁力とのバランスをとって、ピンボード４を保持機構７ａから容易に解放可能とすることができる。
【００６８】
当該フレキシブルプリント配線板加工治具において、制限構造２１は、特に磁石と磁石又は強磁性体とが当接しないようピンボード４の可動域を制限することが好ましい。また、制限構造２１は、被係止部１１ａと係止部１２ａとの間に配設されてもよい。
【００６９】
当該フレキシブルプリント配線板加工治具に制限構造２１を設けて被係止部１１ａと係止部１２ａとを当接させないことによって、弾性部材６の弾性力と保持機構７ａの磁力とのバランスを最適化して、例えばオペレーターがピンボード４を持ち上げることでピンボード４を保持機構７ａから容易に解放可能とすることができる。
【００７０】
当該フレキシブルプリント配線板加工治具において、保持機構７ａがピンボード４を保持する状態における被係止部１１ａと係止部１２ａとの隙間の大きさが調節可能であることが好ましい。これにより、保持機構７ａがピンボード４を保持する状態における保持機構７ａの磁力と弾性部材６の弾性力との差を最適化して、保持機構７ａによるピンボード４の保持及びピンボード４の保持機構７ａからの脱離を容易にすることができる。
【００７１】
［第三実施形態］
図４に、本考案の図１及び図３とは異なる実施形態に係るフレキシブルプリント配線板加工治具を示す。図４のフレキシブルプリント配線板加工治具は、図１及び図３のフレキシブルプリント配線板加工治具と同様に、フレキシブルプリント配線板Ｆを加工するために位置決め保持する治具である。
【００７２】
当該フレキシブルプリント配線板加工治具は、ベース部材１と、ベース部材１上に立設される複数の脚部材２と、複数の脚部材２に支持され、上面にフレキシブルプリント配線板Ｐが載置される保持板３と、保持板３の下方に配置されるピンボード４と、ピンボード４を保持板３の上面に垂直に昇降させるよう案内する直動ガイド５と、ピンボード４を保持板３に向かって付勢する弾性部材６と、弾性部材６の付勢力に抗して位置決めピン１０が保持板３の表面より下方に後退した状態でピンボード４を保持する保持機構７ａとを備える。
【００７３】
図４のフレキシブルプリント配線板加工治具において、ベース部材１、脚部材２、ピンボード４、直動ガイド５、弾性部材６及び保持機構７ａの構成は、図３のフレキシブルプリント配線板加工治具におけるベース部材１、脚部材２、ピンボード４、直動ガイド、弾性部材６及び保持機構７ａの構成と同様とすることができる。このため、図４のフレキシブルプリント配線板加工治具について、図１のフレキシブルプリント配線板加工治具と同じ構成要素には同じ符号を付して重複する説明を省略する。
【００７４】
（制限構造）
当該フレキシブルプリント配線板加工治具は、被係止部１１ａと係止部１２ａとが当接しないようピンボード４の可動域を制限する制限構造２１ａを有する。本実施形態の制限構造２１ａは、ベース部材１上に立設され、上端がピンボード４の下面に当接する柱状の部材である。
【００７５】
この制限構造２１は、ベース部材１との間にシムを挟み込むことによって、ピンボード４の可動域の下端位置を調節することができる。
【００７６】
［その他の実施形態］
今回開示された実施の形態は全ての点で例示であって制限的なものではないと考えられるべきである。本考案の範囲は、上記実施形態の構成に限定されるものではなく、実用新案登録請求の範囲によって示され、実用新案登録請求の範囲と均等の意味及び範囲内での全ての変更が含まれることが意図される。
【００７７】
被係止部は、凹部に替えて開口（貫通穴）又は突起を有するものであってもよい。
【００７８】
当該フレキシブルプリント配線板加工治具において、保持機構の係止部は、解除レバーを有さず、オペレーターがピンボードを持ち上げることで可動爪が被係止部から脱離するよう構成されてもよい。具体例として、可動爪は、被係止部の下降を可能にするための傾斜面の下方に逆方向に傾斜した第２の傾斜面を有してもよい。このような第２の傾斜面を有することで、弾性部材の付勢力に加えてオペレーターが力を加えてピンボードを持ち上げることにより、第２の傾斜面の圧力角により可動爪が係止部の凹部から脱離する方向に移動して被係止部を解放することができる。
【００７９】
当該フレキシブルプリント配線板加工治具において、保持機構は、例えば電気、圧縮空気等のエネルギーによって駆動される機構であってもよい。
【００８０】
当該フレキシブルプリント配線板加工治具において、保持機構の磁力により吸引し合う被係止部と係止部とが当接してピンボードを保持してもよい。
【００８１】
当該フレキシブルプリント配線板加工治具において、制限構造は、例えばベース部材、直動ガイド等に配設したストッパーであってもよく、制限構造は、ピンボードに配設した部材に当接するストッパーであってもよい。また、制限構造は、非磁性体から形成され、磁石又は強磁性体に配設されてこの磁石又は強磁性体と吸引し合う磁石又は強磁性体に当接するものであってもよい。
【産業上の利用可能性】
【００８２】
本考案の実施形態に係るフレキシブルプリント配線板加工治具は、例えばフレキシブルプリント配線板への手作業による補強板の貼着等の加工に好適に利用することができる。
【符号の説明】
【００８３】
１  ベース部材
２  脚部材
３  保持板
４  ピンボード
５  直動ガイド
６  弾性部材
７  保持機構
８  ピン孔
９  板状部
１０  位置決めピン
１１  被係止部
１２  係止部
１３  凹部
１４  被係止面
１５  可動爪
１６  解除レバー
１７  ねじりばね
１８  係止面
１９  傾斜面
２０  台座
２１  制限構造
Ｐ  フレキシブルプリント配線板
Ｈ  位置決め孔
【図１】
0003217204.tif 000003
【図２】
0003217204.tif 000004
【図３】
0003217204.tif 000005
【図４】
0003217204.tif 000006